(57)【要約】【課題】この考案は、ＩＣカードに記録されたデータのスキミングを防止しうるシートやカード入れとして用いられるスキミング防止具に関する。【解決手段】スキミング防止具は、ポリエチレンテレフタレートフィルムからなるシート状の基材と、該基材の広面の一側に形成された電磁波シールド性を有する銅箔のエッチングメッシュ膜と、該メッシュ膜に、接着層を介して積層されるユポ紙またはスパッタリングによる金属膜または絶縁体膜からなる第１カバー層とを有してなることを特徴とする。【選択図】図２
0003118623.tif 000002
【実用新案登録請求の範囲】
【請求項１】
ポリエチレンテレフタレートフィルムからなるシート状の基材と、
該基材の一方の広面側に形成された電磁波シールド性を有する銅箔のエッチングメッシュ膜と、
該メッシュ膜に接着層を介してユポ紙からなる第１カバー層を積層して前記メッシュ膜を保護してなると共に、前記ユポ紙の表面が印刷可能な印刷表示面に形成されていることを特徴とするスキミング防止具。
【請求項２】
ポリエチレンテレフタレートフィルムからなるシート状の基材と、
該基材の一方の広面側に形成された電磁波シールド性を有する銅箔のエッチングメッシュ膜と、
該メッシュ膜と共に前記基材の一方の広面に、金属被膜または絶縁体被膜からなる第１カバー層をスパッタリングで積層して前記メッシュ膜を保護してなることを特徴とするスキミング防止具。
【請求項３】
基材の広面の他方の面に、接着層を介して第２カバー層としてのユポ紙が積層されており、該ユポ紙の表面が印刷可能な印刷表示面に形成されているいることを特徴とする請求項１または２に記載のスキミング防止具。
【請求項４】
基材の広面の他方の面に、金属被膜または絶縁体被膜からなる第２カバー層をスパッタリングで積層してなることを特徴とする請求項１または２に記載のスキミング防止具。
【請求項５】
基材の広面の他側に対向して写真または印刷が施されたプラスチックフィルムが設けられており、該プラスチックフィルムが第２カバー層と接着層を介して接着し、基材が接着層を介して第１カバー層と接着しており、前記第１カバー層と第２カバー層との周縁が三方で一体に接着されてカードホルダ型に構成されていることを特徴とする請求項３または４に記載のスキミング防止具。
【考案の詳細な説明】
【技術分野】
【０００１】
本考案はスキミング防止具に係り、特に、キャッシュカード等のＩＣカードに記録されたデータのスキミングを防止しうるシートやカード入れとして用いられるスキミング防止具に関する。
【背景技術】
【０００２】
近年、キャッシュカード、ＳＵＩＣＡ（商標名）やＩＤカード等のＩＣカードに記録された暗証番号等のデータがスキミングされ、暗証番号等がコピーされた偽造ＩＣカードが作製されて本物の代わりに使用される被害が増えている。
キャッシュカード等のＩＣカードは、財布やカード入れに収納され、上着などの着衣やバッグなどに収納されて所持されることが多い。
【０００３】
一方、上記スキミングを行う装置は、電磁波を前記キャッシュカードなどのＩＣカードに向けて発信することにより非接触でＩＣカードからデータを読み取れるように構成されている。
従って、スキミングを行う者は、カード所持者に接近してスキミング装置のリーダを作動させることで、カードの所持者に気づかれることなく容易にデータのスキミングを行うことができる。
【０００４】
このスキミングを防止するために、例えば特開昭６３−９２４９８号では表裏面を金属加工（硫化銅）された内装材を用いたり、特開平９−２６９９８５号では、磁気を遮断する銅などの金属箔によって構成した構造が知られている。更には金属板を内蔵する構造もある。
しかし、金属箔や金属板を内蔵する構造では、撓ませたり、財布を二つ折りすることができないなどの欠点がある。
また、布材を用いる場合には金属加工が困難であり、また表裏を重ねて縁部を縫合する必要があって手間がかかると共に、表面に印刷を行えず、装飾性に欠けるという欠点があった。
【特許文献１】特開昭６３−９２４９８号公報
【特許文献２】特開平９−２６９９８５号公報
【考案の開示】
【考案が解決しようとする課題】
【０００５】
本考案は、上記事情に鑑みて創案されたものであって、その主たる課題は、ポリエチレンテレフタレート（ＰＥＴ）フィルムを基材とすることで、折り曲げても復元力を有すると共に、ヒートシールにより簡単に貼り合わせすることもでき、また前記ポリエチレンテレフタレートフィルムに銅をエッチングすることで、スキミングを防止しうるようにし、更にユポ紙を表面に積層することで印刷を可能としたスキミング防止具を提供することにある。
【課題を解決するための手段】
【０００６】
上記課題を解決するために、請求項１に記載のスキミング防止具の考案は、
ポリエチレンテレフタレートフィルムからなるシート状の基材と、
該基材の一方の広面側に形成された電磁波シールド性を有する銅箔のエッチングメッシュ膜と、
該メッシュ膜に接着層を介してユポ紙からなる第１カバー層を積層して前記メッシュ膜を保護してなると共に、前記ユポ紙の表面が印刷可能な印刷表示面に形成されていることを特徴とする。
【０００７】
請求項２の考案では、
ポリエチレンテレフタレートフィルムからなるシート状の基材と、
該基材の一方の広面側に形成された電磁波シールド性を有する銅箔のエッチングメッシュ膜と、
該メッシュ膜と共に前記基材の一方の広面に、金属被膜または絶縁体被膜からなる第１カバー層をスパッタリングで積層して前記メッシュ膜を保護してなることを特徴とする。
請求項３の考案では、
前記基材の広面の他方の面に、接着層を介して第２カバー層としてのユポ紙が積層されており、該ユポ紙の表面が印刷可能な印刷表示面に形成されているいることを特徴とする。
また、請求項４の考案では、
前記基材の広面の他方の面に、金属被膜または絶縁体被膜からなる第２カバー層をスパッタリングで積層してなることを特徴とする。
【０００８】
更に、請求項５の考案では、
前記基材の広面の他側に対向して写真または印刷が施されたプラスチックフィルムが設けられており、該プラスチックフィルムが第２カバー層と接着層を介して接着し、基材が接着層を介して第１カバー層と接着しており、前記第１カバー層と第２カバー層との周縁が三方で一体に接着されてカードホルダ型に構成されていることを特徴とする。
【考案の効果】
【０００９】
本考案は、ポリエチレンテレフタレート（ＰＥＴ）フィルム材を基材としているので、折り曲げても復元力を有するので、シート状のまま財布に入れて２つ折りしても折れ曲がらず、繰り返し使用することができる。
このＰＥＴフィルムはヒートシールや超音波溶着、高周波溶着などにより、容易に貼り付けることができ、カードホルダー形状などの成形が容易に行える。
【００１０】
更に、ユポ紙からなる第１カバー層を基材の銅箔のエッチングメッシュ膜上に積層し、またはユポ紙の接着に替えて、金属被膜や絶縁体被膜をスパッタリングにより積層してメッシュ膜を保護して電磁波シールド性を維持することができる。
また、第１カバー層や第２カバー層にユポ紙を用いる場合は、表面を印刷を施すことができる印刷面とすることで装飾や広告の表示、免責条項の記載などの印刷も可能にすることができる。
【考案を実施するための最良の形態】
【００１１】
以下に、本考案のスキミング防止具の好適実施例について、図面を参照しながら説明する。
【実施例１】
【００１２】
図１に示すスキミング防止具１は、シート形状からなっている。
図示例ではコーナー部分を面取りした略長方形からなっており、財布の中に紙幣と共に入れて、財布内に収納されるＩＣカードがスキミングされないようにガードする。
【００１３】
このスキミング防止具１は、図２の断面図に示すように、基材２が約１００μｍ厚のポリエチレンテレフタレート（ＰＥＴ）フィルムからなっており、該基材２の一方の広面に約１２μｍの厚みで銅箔のメッシュ膜３がエッチングされている。
本実施例では、基材２の表面上にはフォトエッチングやスクリーン印刷などの手法を用いて銅箔のエッチングメッシュ膜３が形成される。
【００１４】
そして、この銅箔のエッチングメッシュ膜３の表面には約５μｍ厚の接着層４を介して約１００μｍの厚みを有するユポ紙からなる表層としての第１カバー層５が積層されており、また基材２の裏面上には接着層６を介して同様の約１００μｍ厚のユポ紙からなる裏層としての第２カバー層７が積層されている。
【００１５】
ここで、ユポ紙は、ポリプロピレンを主原料とする合成紙であり、水に強く、破れにくく、表面が滑らかで、油や薬品に強いので、表裏面の保護に適している。
そして、前記第１カバー層５と第２カバー層７は共にユポ紙からなっているので、それぞれ必要に応じて適宜な印刷を施すことができ印刷層８、８’を形成する。
【００１６】
前記接着層４、６は、本実施例では例えば第１カバー層５および第２カバー層７のユポ紙の裏面に形成されたのり引き加工面からなっており、特殊熱プレスや、超音波溶接、高周波溶接などで縁を溶着して１枚のシート状に形成している。
【００１７】
接着手段は上記方法に限定されるものではなく、公知の接着方法を用いることができる。
また、前記のりが縁部に出ないように、縁部はヒートシールや超音波溶着、高周波溶着などによって接着してもよい。
【実施例２】
【００１８】
図３および図４に示すカードタイプのスキミング防止具１は、前記実施例１のスキミング防止具１の構造から裏層材７を省略した構成からなっている。
第１カバー層５の接着層４は、前記実施例と同様にユポ紙の裏面に形成したのり引き加工面からなっており、特殊熱プレスによって一体に接着することができる。
【００１９】
この場合、第１カバー層５が基材２上の銅箔のエッチングメッシュ膜３を保護すると共に、その表面が印刷面となり、例えば、表面に白色ベタの印刷の上に、免責事項等の印刷や、装飾用の印刷を行うことができる。
【００２０】
第２カバー層７は省略したので、基材２の裏面が露出している。
裏面に印刷を施さない場合には、コストダウンを図ることができる。
その他の構成は、前記実施例と同様であるので、同一構成には同一符号を付してその説明を省略する。
【実施例３】
【００２１】
図５〜図８に示すカードホルダタイプのスキミング防止具１は、前記実施例１のスキミング防止具１の構造に更に、基材２に対応する形状のプラスチックフィルム材９が追加された構成からなっている。
【００２２】
このフィルム材９は、写真や印刷物が表面に施されたフィルムからなっている。
そして、図示例の場合、基材２とフィルム材９は同じ形状からなっており、それらの外側に配置される第１カバー層５と第２カバー層７は、やや大きい寸法からなっている。
そして、第１カバー層５と第２カバー層７はその内面側に接着層となる、のり引き加工面４、６が一体に形成されている。
【００２３】
そこで、第１カバー層５と基材２、第２カバー層７とフィルム材８とは特殊プレスによりそれぞれ一体に接着され、基材２と第１カバー層５とは、銅箔のエッチングメッシュ膜３を間に挟むようにして一体に接着されており、且つ第１カバー層５と第２カバー層７とが３方の周縁に沿って一体に接着されて袋状に形成される（図７参照）。
【００２４】
周縁の溶着方法としては、上記の他に、超音波溶着や、高周波溶着などを用いてもよい。
その他の構成は、前記実施例と同様であるので、同一構成には同一符号を付してその説明を省略する。
【００２５】
上記実施例では、第１カバー層５または第２カバー層７の表面を印刷面としたが、印刷面に替えてマット加工や植毛加工したものや合成革に加工したものを用いてもよい。
【実施例４】
【００２６】
この考案において、第１カバー層や第２カバー層をユポ紙に替えてスパッタリングにより金属被膜、または絶縁体被膜で形成してもよい。
また第１カバー層または第２カバー層のいずれか一方に接着層を介したユポ紙を用い、他方をスパッタリングにより金属被膜、または絶縁体被膜で形成してもよい。
【００２７】
図９には、一例として、実施例３のカードタイプのスキミング防止具１の第１カバー層５および第２カバー層７をスパッタリングにより物理的蒸着させた金属被膜で成形した場合の断面図を示す。
この場合、メッシュ膜３と共に基材２の一方の広面に、金属被膜からなる第１カバー層５’をスパッタリングで蒸着し、基材２の他方の広面にも金属被膜からなる第２カバー層７’をスパッタリングで蒸着して成形する。
【００２８】
前記被膜の厚みは、メッシュ膜３を保護することができる十分な厚みに設定される必要がある。
これにより高級感のある装飾性に優れたスキミング防止具を得ることができる。
その他の構成は前記実施例３と同様であるので、説明を省略する。
他の実施例においても、ユポ紙に替えてスパッタリングにより金属被膜、または絶縁体被膜で形成してもよい。
その他、要するにこの考案の要旨を変更しない範囲で種々設計変更しうること勿論である。
【図面の簡単な説明】
【００２９】
【図１】（ａ）は実施例１に係るスキミング防止具を示す斜視図、（ｂ）は分解斜視図である。
【図２】図１（ｂ）の一部を示す拡大断面図である。
【図３】実施例２に係るスキミング防止具を示す分解斜視図である。
【図４】図３の一部を示す拡大断面図である。
【図５】実施例３に係るカードホルダー型のスキミング防止具を示す分解斜視図である。
【図６】図５の一部を示す拡大断面図である。
【図７】実施例３のスキミング防止具を平面から見て開口を広げた状態の説明図である。
【図８】同スキミング防止具の斜視図である。
【図９】第１カバー層および第２カバー層の異なる実施例４を示す断面図である。
【符号の説明】
【００３０】
１    スキミング防止具
２    基材
３    銅箔のエッチングメッシュ膜
４    接着層
５、５’  第１カバー層
６    接着層
７、７’  第２カバー層
８、８’  印刷面
９    フィルム材
【図１】
0003118623.tif 000003
【図２】
0003118623.tif 000004
【図３】
0003118623.tif 000005
【図４】
0003118623.tif 000006
【図５】
0003118623.tif 000007
【図６】
0003118623.tif 000008
【図７】
0003118623.tif 000009
【図８】
0003118623.tif 000010
【図９】
0003118623.tif 000011